(57)【要約】【課題】  共通の画像信号線に対応する複数のデータ線に接続された各画素の階調が互いに異なる場合であっても各画素に所期の階調を精度よく表示させる。【解決手段】  複数のデータ線１３は所定の本数ごとにグループＧに区分される。電気光学パネル１０は、各々が異なるグループＧに対応する複数の画像信号線５３と、各データ線１３と画像信号線５３との間に介挿されたスイッチング素子１５１とを有する。走査線駆動回路２０は、複数の走査線１２の各々を選択期間ごとに選択する。制御回路３１は、各グループＧに対応するスイッチング素子１５１の各々を選択期間内のデータ出力期間ごとに順次に導通状態とする。電圧出力回路４１は、各グループＧに対応する画像信号線５３に対し、そのグループＧに対応する各スイッチング素子１５１が導通状態となるデータ出力期間にて画素の階調に応じた電圧を印加し、最後のデータ出力期間が経過した後に所定の電位を印加する。【選択図】      図１
2006154745.tif 000002
【特許請求の範囲】
【請求項１】
複数の走査線と、所定の本数ごとにグループに分けられた複数のデータ線と、前記複数の走査線とデータ線との交差に対応して配置された複数の画素と、を有する電気光学装置を駆動する回路であって、
複数のデータ出力期間を含む選択期間ごとに、前記複数の走査線の各々を選択する走査線駆動回路と、
各々が異なる前記グループに対応する複数の画像信号線と、
前記各グループに属する各データ線と前記各グループに対応する画像信号線との、導通状態と非導通状態とを切り替える複数のスイッチング素子と、
前記各グループに対応する前記スイッチング素子の各々を前記選択期間内のデータ出力期間ごとに順次に導通状態とする制御回路と、
前記選択期間内の前記各データ出力期間において、前記各画像信号線に対して前記画素の階調に応じた電圧を印加する一方、当該選択期間内の最後のデータ出力期間が経過した後の期間において、前記各画像信号線に対して所定の電圧を印加する電圧出力回路と
を具備することを特徴とする電気光学装置の駆動回路。
【請求項２】
前記所定の電圧は、前記画素に最高階調を表示させる電圧と前記画素に最低階調を表示させる電圧との中心電圧である
ことを特徴とする請求項１に記載の電気光学装置の駆動回路。
【請求項３】
前記電圧出力回路は、各選択期間の経過後まで前記画像信号線に対する前記所定の電圧の印加を維持する
ことを特徴とする請求項１に記載の電気光学装置の駆動回路。
【請求項４】
前記電圧出力回路は、各データ出力期間の直前の期間、および前記画像信号線に対して前記所定の電圧を印加した後の期間において出力をハイインピーダンスとする
ことを特徴とする請求項１に記載の電気光学装置の駆動回路。
【請求項５】
前記複数のデータ線は、互いに隣接する複数本ごとにグループ化される
ことを特徴とする請求項１に記載の電気光学装置の駆動回路。
【請求項６】
前記複数のデータ線は、互いに隣接する複数本ごとにブロックに区分され、ひとつのグループは、複数のブロックの各々に属するデータ線を含む
ことを特徴とする請求項１に記載の電気光学装置の駆動回路。
【請求項７】
複数の走査線と、所定の本数ごとにグループに分けられた複数のデータ線と、前記複数の走査線とデータ線との交差に対応して配置された複数の画素と、
複数のデータ出力期間を含む選択期間ごとに、前記複数の走査線の各々を選択する走査線駆動回路と、
各々が異なる前記グループに対応する複数の画像信号線と、
前記各グループに属する各データ線と前記各グループに対応する画像信号線との、導通状態と非導通状態とを切り替える複数のスイッチング素子と、
前記各グループに対応する前記スイッチング素子の各々を前記選択期間内のデータ出力期間ごとに順次に導通状態とする制御回路と、
前記選択期間内の前記各データ出力期間において、前記各画像信号線に対して前記画素の階調に応じた電圧を印加する一方、当該選択期間内の最後のデータ出力期間が経過した後の期間において、前記各画像信号線に対して所定の電圧を印加する電圧出力回路と
を具備することを特徴とする電気光学装置。
【請求項８】
請求項７に記載の電気光学装置を具備することを特徴とする電子機器。
【請求項９】
複数の走査線と、所定の本数ごとにグループ化された複数のデータ線と、前記複数の走査線とデータ線との交差に対応して配置された複数の画素と、前記データ線のグループに各々が対応する複数の画像信号線と、前記各データ線と前記各画像信号線との、導通状態と非導通状態とを切り替える複数のスイッチング素子とを具備する電気光学装置を駆動する方法であって、
複数のデータ出力期間を含む選択期間ごとに前記複数の走査線の各々を選択し、
前記各グループに対応する前記スイッチング素子の各々を前記選択期間内のデータ出力期間ごとに順次に導通状態とする一方、
前記選択期間内の前記各データ出力期間において、前記各画像信号線に対して前記画素の階調に応じた電圧を印加する一方、当該選択期間内の最後のデータ出力期間が経過した後の期間において、前記各画像信号線に対して所定の電圧を印加する
ことを特徴とする電気光学装置の駆動方法。
【発明の詳細な説明】
【技術分野】
【０００１】
本発明は、電気光学物質を利用して画像を表示する技術に関する。
【背景技術】
【０００２】
液晶などの電気光学物質を利用して画像を表示する電気光学装置が広く普及している。この種の電気光学装置を駆動する方式として、例えば特許文献１には、複数の画素の階調を時分割にて指定する電圧信号（以下「階調信号」という）を各画素ごとに分配して出力する駆動方式が開示されている。図１１は、この方式を採用した電気光学装置のうちデータ線の駆動に関連する部分の構成を示す回路図であり、図１２は、この電気光学装置の動作を示すタイミングチャートである。図１１に示されるように、複数のデータ線１３は３本ごとにグループＧ（Ｇ1、Ｇ2、……）に区分され、各グループＧに属する３本のデータ線１３は各々がＴＦＴ（Thin Film Transistor）素子などのスイッチング素子１５１を介して共通の画像信号線５３に接続される。ひとつのグループＧに属する各スイッチング素子１５１のゲート電極はそれぞれ異なるサンプリング信号線５１に接続される。各サンプリング信号線５１には、図１２に示されるように、各々が別個の期間（以下「データ出力期間」という）Ｔdにて順番にアクティブレベルとなるサンプリング信号Ｓ1ないしＳ3が供給される。
【０００３】
各画像信号線５３には、ひとつのグループＧに属する３本のデータ線１３に接続された各画素の階調を時分割にて指定する階調信号ｄj（ｊは自然数）が供給される。例えばいま、図１３に示されるように、グループＧ1に属する３本のデータ線１３のうち第１列目および第２列目のデータ線１３に接続された画素に中間調（灰色の階調）を表示させる一方、第３列目のデータ線に接続された画素に黒色を表示させる場合を想定する。この場合、グループＧ1の画像信号線５３に供給される階調信号ｄ1は、図１２に示されるように、水平走査期間（１Ｈ）のうち第１番目および第２番目のデータ出力期間Ｔdにて中間調に相当する電圧Ｖgとなり、第３番目のデータ出力期間Ｔdにて黒色の階調に相当する電圧Ｖbとなる。以上の構成のもと、各グループＧに対応する３個のスイッチング素子１５１がサンプリング信号Ｓ1ないしＳ3によって各データ出力期間Ｔdにて順番にオン状態とされ、その時点における階調信号ｄ1の電圧がデータ信号Ｘａ1、Ｘｂ1、Ｘｃ1としてそれぞれデータ線１３に出力されて各画素に印加される。
【特許文献１】特開２００３−２５５９０４号公報（図１および図２）
【発明の開示】
【発明が解決しようとする課題】
【０００４】
しかしながら、この構成においては、各グループＧに属する特定のデータ線１３（例えば図１の構成では各グループＧの第３列目のデータ線１３）に接続された画素と、そのグループＧに属する他のデータ線１３に接続された画素とを異なる階調とする場合に、後者の各データ線１３に対応する画素の階調が本来の階調とは異なる階調になるという問題がある。例えばいま、ノーマリーホワイトモードを採用する電気光学装置において、グループＧ1の第３列目の各画素に黒色を表示させ、他の総ての画素に同じ中間調を表示させようとした場合（つまり、灰色を背景として１本の黒色の縦線を表示させる場合）を想定する。この場合、図１３に示されるように、グループＧ1に属する第３列目の各画素の階調は目標たる黒色となり、グループＧ2の各画素の階調は所期の中間調となる。しかしながら、グループＧ1の第１列目および第２列目の各画素は、本来ならばグループＧ2の各画素と同じ中間調となるべきであるにも関わらず、この中間調よりも暗い階調となる。このような階調の相違は利用者によって表示ムラとして認識される。本発明は、このような事情に鑑みてなされたものであり、その目的は、共通の画像信号線に対応する複数のデータ線に接続された各画素の階調が互いに異なる場合であっても、各画素に所期の階調を精度よく表示させることにある。
【課題を解決するための手段】
【０００５】
図１１に示されるように、各スイッチング素子１５１のソース電極とドレイン電極との間には寄生容量Ｃが付随する。本願発明者は、図１３に示したような表示ムラの原因がこの寄生容量Ｃにあるという知見を得るに至った。この点について詳述すると以下の通りである。
【０００６】
図１２に示されるように、画像信号線５３に供給される階調信号ｄ1は、第１番目および第２番目のデータ出力期間Ｔdにて電圧Ｖgを維持し、第３番目のデータ出力期間Ｔdの始点の直前にて電圧Ｖbとなる。ひとつのグループＧ1に対応する３個のスイッチング素子１５１のドレイン電極はひとつの画像信号線５３に対して共通に接続されているから、階調信号ｄ1が電圧Ｖgから電圧Ｖbに変動すると、そのグループＧ1に属する第１番目および第２番目のスイッチング素子１５１のドレイン電極の電位も電圧Ｖgから電圧Ｖbに変動する。ここで、各データ線１３はスイッチング素子１５１を介して画像信号線５３と容量的に結合しているから、各スイッチング素子１５１のドレイン電極の電位が電圧Ｖbに変動すると、第１列目および第２列目のデータ線１３の電圧もこの電圧の変動に伴なってΔＶだけ変化（ここでは上昇）する。このように階調信号ｄ1の変動に伴なって変化したデータ線１３の電圧（本来の電圧ＶgよりもΔＶだけ高い電圧）が各画素に印加されるために、グループＧ1に属する第１列目および第２列目の画素の階調が本来の階調よりも暗い階調となるのである。ΔＶは寄生容量Ｃとデータ線１３の容量との比によって決まる。より具体的には、寄生容量Ｃがデータ線１３の容量と比較して大きくなるほどΔＶは相対的に増大していく。一般的に、画素の高精細化が進行するほどデータ線１３の容量は減少していくから、これに伴なって寄生容量Ｃが相対的に増大し、ひいてはΔＶも大きくなっていく。このため、寄生容量Ｃに起因した表示ムラの問題は、例えば携帯型の電子機器に利用される表示装置や投射型表示装置に利用されるライトバルブのように、小型で高精細な電気光学装置において特に顕著となる。なお、総ての画素が共通の中間調を表示するグループＧ2については、階調信号ｄ2が総てのデータ出力期間Ｔdにわたって同電位となるから、階調信号ｄ2の電圧の変動に起因して画素への印加電圧が変動するといった現象はほとんど発生しない。したがって、グループＧ2の各画素は本来の中間調となる。
【０００７】
以上のような知見に基づき、本発明に係る電気光学装置の駆動回路は、複数の走査線と、所定の本数ごとにグループに分けられた複数のデータ線と、前記複数の走査線とデータ線との交差に対応して配置された複数の画素と、を有する電気光学装置を駆動する回路であって、複数のデータ出力期間を含む選択期間ごとに、前記複数の走査線の各々を選択する走査線駆動回路と、各々が異なる前記グループに対応する複数の画像信号線と、前記各グループに属する各データ線と前記各グループに対応する画像信号線との、導通状態と非導通状態とを切り替える複数のスイッチング素子と、前記各グループに対応する前記スイッチング素子の各々を前記選択期間内のデータ出力期間ごとに順次に導通状態とする制御回路と、前記選択期間内の前記各データ出力期間において、前記各画像信号線に対して前記画素の階調に応じた電圧を印加する一方、当該選択期間内の最後のデータ出力期間が経過した後の期間において、前記各画像信号線に対して所定の電圧を印加する電圧出力回路とを具備することを特徴とする。この構成によれば、選択期間において最後のデータ出力期間が経過した後に所定の電位が画像信号線に印加されるから、ひとつのグループに対応する各データ線の電位が画像信号線の電圧の変動に起因して変化したとしても、総てのデータ出力期間が経過した段階で各データ線は所定の電位に応じた電位に調整される。したがって、画像信号線の電圧の変動に起因した表示品位の低下は抑制される。なお、本発明にいう所定の電位とは、典型的には各画素の階調と無関係に予め選定された電位であり、例えば、画素に印加されるオン電圧とオフ電圧との中心電圧（例えば画素に最も高い階調を表示させる電圧と画素に最も低い階調を表示させる電圧との中心電圧）である。
【０００８】
本発明の望ましい態様において、電圧出力回路は、各選択期間の経過後まで画像信号線に対する所定の電圧の印加を維持する。この態様によれば、走査線駆動回路による走査線の選択が仮に本来のタイミングから遅延した場合であっても、画像信号線に印加される電圧を、選択期間が経過するまで確実に所定の電位に維持することができる。したがって、画像信号線の電圧の変動に起因した表示ムラを確実に抑制することができる。また、他の態様において、電圧出力回路は、各データ出力期間の間隙の期間、および画像信号線に対して所定の電位を印加した後の期間において出力をハイインピーダンスとする。この態様によれば、各データ出力期間や所定の電位を印加した後の期間において画像信号線の電圧を確実に所期の電圧とすることができる。
【０００９】
なお、データ線をグループ化する態様は任意である。例えば、複数のデータ線が互いに隣接する複数本ごとにグループ化される構成（後述する第１実施形態）としてもよいし、複数のデータ線が互いに隣接する複数本ごとにブロックに区分され、ひとつのグループが、複数のブロックの各々に属するデータ線を含む構成（後述する第２実施形態）としてもよい。
【００１０】
本発明に係る電気光学装置は、上述した各態様に係る駆動回路を具備する。すなわち、この電気光学装置は、複数の走査線と、所定の本数ごとにグループに分けられた複数のデータ線と、前記複数の走査線とデータ線との交差に対応して配置された複数の画素と、複数のデータ出力期間を含む選択期間ごとに、前記複数の走査線の各々を選択する走査線駆動回路と、各々が異なる前記グループに対応する複数の画像信号線と、前記各グループに属する各データ線と前記各グループに対応する画像信号線との、導通状態と非導通状態とを切り替える複数のスイッチング素子と、前記各グループに対応する前記スイッチング素子の各々を前記選択期間内のデータ出力期間ごとに順次に導通状態とする制御回路と、前記選択期間内の前記各データ出力期間において、前記各画像信号線に対して前記画素の階調に応じた電圧を印加する一方、当該選択期間内の最後のデータ出力期間が経過した後の期間において、前記各画像信号線に対して所定の電圧を印加する電圧出力回路とを具備することを特徴とする。この構成によっても、本発明の駆動回路と同様の理由により、スイッチング素子に付随する容量と画像信号線の電圧の変動とに起因した表示ムラを抑制することができる。
【００１１】
本発明に係る電気光学装置は、種々の電子機器の表示装置として利用される。上述したように、スイッチング素子に付随する寄生容量Ｃは、小型の電気光学装置ほどその影響が相対的に増大する。したがって、本発明の電気光学装置は、携帯型の電子機器や投射型表示装置といった電子機器に対して特に好適に採用される。
【００１２】
本発明は、電気光学装置を駆動する方法としても特定される。すなわち、この方法は、複数の走査線と、所定の本数ごとにグループ化された複数のデータ線と、前記複数の走査線とデータ線との交差に対応して配置された複数の画素と、前記データ線のグループに各々が対応する複数の画像信号線と、前記各データ線と前記各画像信号線との、導通状態と非導通状態とを切り替える複数のスイッチング素子とを具備する電気光学装置を駆動する方法であって、複数のデータ出力期間を含む選択期間ごとに前記複数の走査線の各々を選択し、前記各グループに対応する前記スイッチング素子の各々を前記選択期間内のデータ出力期間ごとに順次に導通状態とする一方、前記選択期間内の前記各データ出力期間において、前記各画像信号線に対して前記画素の階調に応じた電圧を印加する一方、当該選択期間内の最後のデータ出力期間が経過した後の期間において、前記各画像信号線に対して所定の電圧を印加することを特徴とする。この方法によっても、本発明の駆動回路と同様の理由により、スイッチング素子に付随する容量と画像信号線の電圧の変動とに起因した表示ムラが有効に抑制される。
【発明を実施するための最良の形態】
【００１３】
＜Ａ：第１実施形態＞
まず、電気光学物質として液晶を採用した電気光学装置に本発明を適用した形態について説明する。図１は、この電気光学装置の全体の構成を示すブロック図である。同図に示されるように、電気光学装置Ｄ1は、電気光学パネル１０と、走査線駆動回路２０と、制御回路３１と、電圧出力回路４１とを有する。このうち電気光学パネル１０は、素子基板と対向基板との間隙に液晶が封止された表示パネルである。走査線駆動回路２０、制御回路３１および電圧出力回路４１は、ＩＣチップの形態にて電気光学パネル１０やこれに接合された配線基板に実装されていてもよいし、電気光学パネル１０の素子基板の表面に低温ポリシリコンなどによって直接的に作り込まれていてもよい。
【００１４】
電気光学パネル１０の素子基板の面上には、Ｘ方向に延在するｍ本の走査線１２と、Ｘ方向に直交するＹ方向に延在する３ｎ本のデータ線１３とが形成される（ｍおよびｎはともに自然数）。これらのデータ線１３は、互いに隣接する３本を単位としてｎ個のグループＧ1ないしＧnに区分される。例えば、図１の左方から数えて第１列目から第３列目までのデータ線１３はグループＧ1に区分され、第４列目から第６列目までのデータ線１３はグループＧ2に区分されるといった具合である。以下では、図１における左方から数えて第ｊ（ｊは１≦ｊ≦ｎを満たす整数）番目のグループを「グループＧj」と表記する。
【００１５】
走査線１２とデータ線１３との交差には画素Ｐが配置される。したがって、これらの画素Ｐは、表示領域Ａd内に、Ｘ方向およびＹ方向にわたって縦ｍ行×横（３ｎ）列のマトリクス状に配列する。図２に示されるように、ひとつの画素Ｐは、スイッチング素子７１と画素容量７３とを含む。このうち画素容量７３は、素子基板に形成された画素電極７３１と、対向基板に形成された対向電極７３３と、その間隙に挟まれた液晶７３２とからなる容量である。一方、スイッチング素子７１は、例えば素子基板の表面に形成されたＴＦＴ素子である。このスイッチング素子７１のゲート電極は走査線１２に接続され、ソース電極はデータ線１３に接続され、ドレイン電極は画素電極７３１に接続される。なお、液晶７３２に印加される電圧を保持する蓄積容量が画素容量７３と並列に配置された構成としてもよい。
【００１６】
走査線駆動回路２０は、ｍ本の走査線１２の各々を順番に選択する回路である。さらに詳述すると、走査線駆動回路２０は、選択期間（水平走査期間）ごとに順次にアクティブレベルとなる走査信号Ｙ1、Ｙ2、……、Ｙmを各走査線１２に出力する（図４参照）。走査信号Ｙi（ｉは１≦ｉ≦ｍを満たす整数）がアクティブレベルになると第ｉ行目の走査線１２が選択され、この走査線１２に接続された３ｎ個のスイッチング素子７１が一斉にオン状態となる。このときにデータ線１３に印加されている電圧（すなわちデータ信号Ｘａj、Ｘｂj、Ｘｃjの電圧）が各スイッチング素子７１を介して第ｉ行目の各画素Ｐの画素容量７３に保持され、この電圧に応じて画素容量７３の液晶７３２の配向方向が変化することによって所望の階調が表示される。本実施形態における電気光学パネル１０は、画素容量７３に電圧が印加されていないときに画素Ｐの階調が白色となり、画素容量７３に印加される電圧が大きいほど画素Ｐの階調が暗くなるノーマリーホワイトモードのパネルである。ただし、ノーマリーブラックモードのパネルを電気光学パネル１０として使用してもよい。
【００１７】
図１に示される制御回路３１は、電気光学装置Ｄ1の全体の動作を制御するための回路である。この制御回路３１は、走査線駆動回路２０や電圧出力回路４１に対してクロック信号などの制御信号を出力するほか、サンプリング信号Ｓ1ないしＳ3を生成して各々をサンプリング信号線５１に出力する。ここで、各選択期間（１Ｈ）は、図４に示されるように、プリチャージ期間Ｔpと、ひとつのグループＧjに属するデータ線１３の本数に相当する３つのデータ出力期間Ｔd1ないしＴd3とを含む。各データ出力期間Ｔdは時間軸上において相互に離間した期間である。制御回路３１から出力されるサンプリング信号Ｓ1ないしＳ3は、ひとつの選択期間のうちプリチャージ期間Ｔpにて一斉にアクティブレベルとなる一方、その各々が選択期間の各データ出力期間Ｔd（Ｔd1、Ｔd2、Ｔd3）にて順番にアクティブレベルとなる信号である。例えば、サンプリング信号Ｓ1は、選択期間のうちプリチャージ期間Ｔpと第１番目のデータ出力期間Ｔd1にてアクティブレベルを維持し、その他の期間においては非アクティブレベルを維持する。同様に、サンプリング信号Ｓ2は、プリチャージ期間Ｔpと第２番目のデータ出力期間Ｔd2にてアクティブレベルとなり、サンプリング信号Ｓ3は、プリチャージ期間Ｔpと第３番目のデータ出力期間Ｔd3にてアクティブレベルとなる。
【００１８】
図１に示される電圧出力回路４１は、外部からシリアルに供給される階調データＤと、制御回路３１からサンプリング信号線５１に出力されたサンプリング信号Ｓ1ないしＳ3とに基づいて、グループＧ1ないしＧnに対応する階調信号ｄ1ないしｄnを生成し、その各々をグループＧjごとに形成された画像信号線５３に出力する回路である。階調データＤは、各画素Ｐの階調を指定するデジタルデータである。一方、階調信号ｄjは、グループＧjに属する３列分の画素Ｐの階調を時分割にて指定する電圧信号である。さらに詳述すると、階調信号ｄjは、図４に示されるように、第ｉ行目の走査線１２が選択される選択期間（すなわち走査信号Ｙiがアクティブレベルとなる選択期間）のうち、プリチャージ期間Ｔpにてプリチャージ電圧Ｖpとなり、第１番目のデータ出力期間Ｔd1において、第ｉ行目の走査線１２とグループＧjに属する第１列目のデータ線１３との交差に対応する画素Ｐの階調データＤａjに応じた電圧となる。さらに、階調信号ｄjは、第２番目のデータ出力期間Ｔd2において、第ｉ行目の走査線１２とグループＧjに属する第２列目のデータ線１３との交差に対応する画素Ｐの階調データＤｂjに応じた電圧となり、第３番目のデータ出力期間Ｔd3において、第ｉ行目の走査線１２とグループＧjに属する第３列目のデータ線１３との交差に対応する画素Ｐの階調データＤｃjに応じた電圧となる。図４においては、図５に示されるように、グループＧ1に属する第１列目および第２列目の画素Ｐに中間調（灰色の階調）を表示させ、グループＧ1に属する第３列目の画素Ｐに黒色の階調を表示させる場合が想定されている。この場合、階調信号ｄ1は、図４に示されるように、データ出力期間Ｔd1およびデータ出力期間Ｔd2にて中間調に対応する電圧Ｖgとなり、データ出力期間Ｔd3の始点にて黒色の階調に対応する電圧Ｖbとなる。さらに、階調信号ｄjは、選択期間の最後のデータ出力期間Ｔd3の終点から次の選択期間の始点が経過するまでの期間（以下「電圧補償期間」という）Ｔhにて電圧Ｖhとなる。この電圧（以下「補償電圧」という）Ｖhは、各画素Ｐの階調とは無関係に予め選定された電圧であり、本実施形態においては、画素Ｐに白色（最高階調）を表示させるための電圧と画素Ｐに黒色（最低階調）を表示させるための電圧との中心電位に定められている。
【００１９】
図１に示されるように、電気光学パネル１０の素子基板にはサンプリング回路１５が形成されている。このサンプリング回路１５は、各々が異なるデータ線１３に対応する３ｎ個のスイッチング素子１５１を有する。各スイッチング素子１５１は、画素Ｐのスイッチング素子７１と同様の材料によって共通の工程にて形成されたＴＦＴ素子である。なお、ここではサンプリング回路１５が素子基板に直接的に形成された構成を例示したが、このサンプリング回路１５は電圧出力回路４１や制御回路３１と一体に形成されていてもよい。
【００２０】
各スイッチング素子１５１のドレイン電極はデータ線１３の端部に接続され、そのソース電極はグループＧjごとに形成された画像信号線５３に接続される。すなわち、ひとつのグループＧjに属する３本のデータ線１３は、各々に対応するスイッチング素子１５１を介して、階調信号ｄjが出力される画像信号線５３に対して共通に接続される。一方、スイッチング素子１５１のゲート電極はサンプリング信号線５１に接続される。より具体的には、グループＧjに対応する３個のスイッチング素子１５１のうち図１の左方から数えて第１番目のスイッチング素子１５１のゲート電極にはサンプリング信号Ｓ1が供給され、第２番目のスイッチング素子１５１のゲート電極にはサンプリング信号Ｓ2が供給され、第３番目のスイッチング素子１５１のゲート電極にはサンプリング信号Ｓ3が供給される。したがって、図４に示されるように、各選択期間（１Ｈ）のプリチャージ期間Ｔpにおいては、総てのスイッチング素子１５１が一斉にオン状態となり、その時点において画像信号線５３に供給されている階調信号ｄjのプリチャージ電圧Ｖpが総てのデータ線１３に対して一斉に印加される。一方、各選択期間のうち第１番目のデータ出力期間Ｔd1においては、各グループＧjに属する第１列目のスイッチング素子１５１がオン状態となり、その時点において画像信号線５３に供給されている階調信号ｄjの電圧（すなわち各グループＧjの第１列目のデータ線１３と現に選択されている走査線１２との交差に対応する画素Ｐの階調に応じた電圧）がデータ信号Ｘａjとして各データ線１３に印加される。一方、第２番目のデータ出力期間Ｔd2においては、各グループＧjに属する第２列目のスイッチング素子１５１がオン状態となるから、これらのスイッチング素子１５１に接続されたデータ線１３には階調信号ｄjがデータ信号Ｘｂjとして供給される。同様に、第３番目のデータ出力期間Ｔd3においては、各グループＧjに属する第３列目のスイッチング素子１５１がオン状態に遷移するから、これらのスイッチング素子１５１に接続されたデータ線１３には階調信号ｄjがデータ信号Ｘｃjとして供給される。以上の構成により、各グループＧjの３本のデータ線１３には、各々に接続された画素Ｐの階調に応じたデータ信号Ｘａj、Ｘｂj、Ｘｃjが時分割にて順次に供給される。
【００２１】
次に、図３は、本実施形態における電圧出力回路４１の具体的な構成を示すブロック図である。同図に示されるように、電圧出力回路４１は、メモリ４１１と、切替回路４１３と、信号処理回路４１５と、出力回路４１７とを具備する。このうちメモリ４１１は、データを書き換え可能に記憶する手段（例えばＲＡＭ（Random Access Memory））であり、外部からシリアルに供給される階調データＤを順次に記憶する。メモリ４１１には、記憶領域Ｍ1ないしＭ3が確保される。このうち記憶領域Ｍ1は、グループＧ1ないしＧnの各々のうち第１列目のデータ線１３に接続された画素Ｐの階調データＤａ（Ｄａ1ないしＤａn）が記憶される。同様に、記憶領域Ｍ2は、各グループＧjのうち第２列目の各画素Ｐの階調データＤｂ（Ｄｂ1ないしＤｂn）が書き込まれる領域であり、記憶領域Ｍ3は、各グループＧjのうち第３列目の各画素Ｐの階調データＤｃ（Ｄｃ1ないしＤｃn）が書き込まれる領域である。
【００２２】
これらの記憶領域に加えて、メモリ４１１には、プリチャージ電圧Ｖpの電圧値を指定するデジタルデータ（以下「プリチャージ電圧データ」という）Ｄpが書き込まれる記憶領域Ｍ4と、補償電圧Ｖhの電圧値を指定するデジタルデータ（以下「補償電圧データ」という）Ｄhが書き込まれる記憶領域Ｍ5が確保される。記憶領域Ｍ4に格納されたプリチャージ電圧データＤpおよび記憶領域Ｍ5に格納された補償電圧データＤhの各々は、外部からの入力に応じて適宜に変更される。例えば、利用者が操作子（図示略）を操作することによってプリチャージ電圧Ｖpや補償電圧Ｖhの電圧値を入力すると、メモリ４１１の記憶領域Ｍ4やＭ5に格納されているデータは、新たに入力された電圧値を示すプリチャージ電圧データＤpまたは補償電圧データＤhに更新される。
【００２３】
切替回路４１３は、メモリ４１１に記憶された階調データＤａないしＤｃ、プリチャージ電圧データＤpおよび補償電圧データＤhの何れかをサンプリング信号Ｓ1ないしＳ3に応じたタイミングにて読み出して出力する回路である。さらに詳述すると、切替回路４１３は、第１に、プリチャージ期間Ｔpにてプリチャージ電圧データＤpを記憶領域Ｍ4から読み出して出力する。第２に、切替回路４１３は、各データ出力期間Ｔdにおいて階調データＤａないしＤｃの各々を順番にメモリ４１１から読み出して出力する。すなわち、切替回路４１３は、データ出力期間Ｔd1において、グループＧ1ないしＧnにおける第１列目の各画素Ｐの階調データＤａ1ないしＤａnを記憶領域Ｍ1から読み出して出力し、データ出力期間Ｔd2において、第２列目の各画素Ｐの階調データＤｂ1ないしＤｂnを記憶領域Ｍ2から読み出して出力し、データ出力期間Ｔd3において、第３列目の各画素Ｐの階調データＤｃ1ないしＤｃnを記憶領域Ｍ3から読み出して出力する。第３に、切替回路４１３は、電圧補償期間Ｔhにおいて補償電圧データＤhを記憶領域Ｍ5から読み出して出力する。
【００２４】
信号処理回路４１５は、切替回路４１３から出力されたデータに応じた階調信号ｄ1ないしｄnを出力する手段であり、Ｄ／Ａ変換器と極性反転回路とを有する。このうちＤ／Ａ変換器は、切替回路４１３から供給されるデジタルデータをアナログに変換したｎ系統の信号を出力する回路である。さらに詳述すると、Ｄ／Ａ変換器は、プリチャージ期間Ｔpにおいてプリチャージ電圧データＤpが入力されると、これを変換したアナログの信号をグループＧjの総数に相当するｎ系統に分岐させて出力する。また、Ｄ／Ａ変換器は、各データ出力期間Ｔdにおいてｎ個分の画素Ｐの階調データＤ（ＤaないしＤcの何れか）が入力されると、その各々をアナログに変換したｎ系統の信号を出力する。さらに、Ｄ／Ａ変換器は、電圧補償期間Ｔhにおいて補償電圧データＤhが入力されると、これを変換したアナログの信号をｎ系統に分岐させて出力する。
【００２５】
一方、極性反転回路は、このＤ／Ａ変換器から出力されたｎ系統の信号に極性反転を施したｎ系統の信号ａ1ないしａnを出力する回路である。極性反転とは、予め定められた電圧Ｖc（例えば対向電極７３３に印加される電圧）を基準として各信号ａ1ないしａnの電圧レベルを正極性および負極性の一方から他方に交互に切り替える処理である。ｎ系統の信号ａ1ないしａnのうち極性反転の対象となる信号は、各画素Ｐに電圧を印加する方式が、［１］垂直走査期間ごとに極性を反転させる方式（いわゆるフレーム反転）であるか、［２］共通の走査線１２に接続された画素Ｐごとに極性を反転させる方式（いわゆる行反転）であるか、［３］共通のデータ線１３に接続された画素Ｐごとに極性を反転させる方式（いわゆる列反転）であるか、［４］Ｘ方向およびＹ方向に隣接する画素Ｐごとに極性を反転させる方式（いわゆる画素Ｐ反転）であるかに応じて適宜に選定される。本実施形態においては、上記［２］のように選択期間ごとに信号ａ1ないしａnの極性を反転させる方式が採用された場合を想定する。なお、ここではＤ／Ａ変換器から出力された各信号を極性反転する構成を例示したが、これとは逆に、切替回路４１３から供給されるデータを極性反転後の電圧値を示すデータに変換し、この変換後のデータをＤ／Ａ変換することによってｎ系統の信号ａ1ないしａnを出力する構成としてもよい。なお、ここでは対向電極７３３に定電位が印加される構成を想定するが、この対向電極７３３に印加される電圧を、信号ａ1ないしａnの極性が反転するタイミングにおいて、２種類の電圧の一方から他方に切り替える構成も採用される。
【００２６】
図３に示される出力回路４１７は、グループＧjの総数に相当するｎ個の出力バッファ４１７ａを有する。これらの出力バッファ４１７ａは、ボルテージフォロワ型のオペアンプであり、信号処理回路４１５から出力される信号ａ1ないしａnをそれぞれ階調信号ｄ1ないしｄnとしてサンプリング回路１５に出力する。
【００２７】
次に、図４を参照しながら、本実施形態において各データ線１３に印加されるデータ信号Ｘj（Ｘａj、Ｘｂj、Ｘｃj）の電圧波形を説明する。なお、ここではグループＧ1およびグループＧ2に特に着目して説明を進める。また、図５に示されるように、グループＧ1の第１列目および第２列目の各画素ＰとグループＧ2の総ての画素Ｐとに同じ中間調を表示させる一方、グループＧ1の第３列目の各画素Ｐに黒色の階調を表示させる場合（すなわち灰色の背景に１本の黒色の縦線を表示させる場合）を想定する。
【００２８】
図４に示されるように、グループＧ1の第３列目のデータ線１３に供給されるデータ信号Ｘｃ1の電圧は、プリチャージ期間Ｔpの始点にてプリチャージ電圧Ｖpに変化し、第３番目のデータ出力期間Ｔd3の始点が到来するまでこの電圧を維持し、このデータ出力期間Ｔd3の始点にてサンプリング信号Ｓ3がアクティブレベルに遷移してスイッチング素子１５１がオン状態になると、黒色に相当する電圧Ｖbに変化する。一方、グループＧ1の第１列目のデータ線１３に供給されるデータ信号Ｘａ1の電圧は、プリチャージ期間Ｔpの始点にてプリチャージ電圧Ｖpに変化し、第１番目のデータ出力期間Ｔd1の始点が到来するまでこの電圧を維持し、このデータ出力期間Ｔd1の始点にてサンプリング信号Ｓ1がアクティブレベルに遷移すると中間調に相当する電圧Ｖgに変化する。ここで、本来ならばデータ信号Ｘａ1の電圧は、次の選択期間のプリチャージ期間Ｔpの始点が到来するまで電圧Ｖgを維持することが望ましい。しかしながら、図１１に示したように各データ線１３はスイッチング素子１５１を介して画像信号線５３と容量的に結合しているため、画像信号線５３に供給される階調信号ｄ1がデータ出力期間Ｔd3の始点にて電圧Ｖgから電圧Ｖbまで上昇すると、その時点でデータ線１３に印加されているデータ信号Ｘａ1は、階調信号ｄ1の変化に伴なって電圧ＶgからΔＶ1だけ上昇する。このとき第ｉ行目のスイッチング素子７１はオン状態となっているから、これに接続された各画素Ｐの画素容量７３の電圧はデータ線１３の電圧の変動分ΔＶ１に応じて上昇する。したがって、データ信号Ｘａ1の電圧がこのまま維持されるとすれば、図１３に示したように、グループＧ1の第１列目（および第２列目）の各画素Ｐの階調は所期の階調（すなわち電圧Ｖgに対応する階調）よりも暗くなる。
【００２９】
このような事情に鑑みて、本実施形態における電圧出力回路４１は、電圧補償期間Ｔhの始点が到来すると、階調信号ｄ1の電圧を、データ出力期間Ｔd3における電圧Ｖbから補償電圧Ｖhに変化させる。上述したように階調信号ｄ1が供給される画像信号線５３とデータ信号Ｘａ1が供給されるデータ線１３とはスイッチング素子１５１を介して容量的に結合しているから、階調信号ｄ1が電圧Ｖbから補償電圧Ｖhに変化すると、データ信号Ｘａ1は、それまでの電圧（Ｖg＋ΔＶ1）からΔＶhだけ下降する。このとき第ｉ行目のスイッチング素子７１はオン状態となっているから、これに接続された各画素Ｐの画素容量７３の電圧はデータ線１３の電圧の変動分ΔＶhに応じて減少する。すなわち、本実施形態においては、階調信号ｄ1の変動に伴なってΔＶ1だけ上昇したデータ信号Ｘａjの電圧がそのまま維持される従来の技術と比較して（図１２参照）、実際のデータ信号Ｘａjの電圧を中間調に応じた本来の電圧Ｖgに近づけることができる。なお、ここではデータ信号Ｘａ1に着目したが、グループＧ1に属する第２列目のデータ線１３に供給されるデータ信号Ｘｂ1の電圧もデータ信号Ｘａ1と同様にΔＶ1およびΔＶhだけ変動する。すなわち、データ信号Ｘｂ1の電圧は、データ出力期間Ｔd3の始点にてそれまでの電圧ＶgからΔＶ1だけ上昇するが、電圧補償期間Ｔhの始点にて階調信号ｄjの電圧がＶhに変化するのに伴なってΔＶhだけ下降する。このように、本実施形態においては、ひとつのグループＧjに属する各データ線１３へのデータ信号Ｘj（Ｘａj、Ｘｂj、Ｘｃj）の電圧の変動が均等化されるから、グループＧjに属する第１列目の各画素Ｐの階調が本来の階調よりも暗くなって表示ムラになるという問題は抑制される。すなわち、図５に示されるように、グループＧ1に属する第１列目および第２列目の各画素Ｐの階調は、グループＧ2の各画素の階調とほぼ同じ中間調となる。
【００３０】
なお、グループＧ2に対応する階調信号ｄ2は、図４に示されるように、データ出力期間Ｔd1ないしＴd3の全区間にわたって中間調に相当するＶgとなり、電圧補償期間Ｔhが到来すると電圧Ｖhに変化する。したがって、各データ線１３に供給されるデータ信号Ｘａ2、Ｘｂ2およびＸｃ2は、それぞれ電圧補償期間Ｔhの始点にてΔＶ2だけ変動する。また、グループＧ1とグループＧ2とに着目すると、データ信号Ｘａ1の電圧「Ｖg＋ΔＶ1−ΔＶh」と、データ信号Ｘａ2の電圧「Ｖg＋ΔＶ2」とは略等しい。このように、各グループＧjのうち同じ階調を表示する画素Ｐに対応するデータ信号Ｘjは略等しい電圧まで変動するから、各データ線１３に対する印加電圧の相違に起因した表示ムラは発生しない。
【００３１】
ところで、本実施形態においては、ある選択期間（１Ｈ）の電圧補償期間Ｔhの始点にて階調信号ｄjの電圧が補償電圧Ｖhに変動し、この電圧Ｖhは選択期間の終点が経過した後まで維持される。一方、ΔＶ1だけ上昇したデータ信号Ｘａ1やデータ信号Ｘｂ1をΔＶhだけ下降させて表示ムラを抑制するという観点のみからすれば、選択期間の終点のタイミングにおいて、階調信号ｄ1の電圧を次のプリチャージ期間Ｔpに備えて電圧Ｖhから電圧Ｖpに変化させておくという構成も考えられる。しかしながら、走査信号Ｙiが立ち下がるタイミングは種々の事情によって本来のタイミングよりも遅延する可能性がある。このように遅延した走査信号Ｙiがアクティブレベルを維持しているときに階調信号ｄ1が補償電圧Ｖhからプリチャージ電圧Ｖpに変動すれば、その時点では第ｉ行目のスイッチング素子７１がオン状態となっているから、この電圧の変動に伴なって、既に画素容量７３に保持された電圧が再び変動する虞がある。これに対し、本実施形態においては、本来の選択期間が経過して走査信号Ｙiが完全に非アクティブレベルとなった段階（すなわちスイッチング素子７１が完全にオフ状態となった段階）にて階調信号ｄ1の電圧を補償電圧Ｖhからプリチャージ電圧Ｖpに変動させるから、このような問題は解消される。
【００３２】
＜Ｂ：第２実施形態＞
次に、本発明の第２実施形態について説明する。なお、本実施形態に係る電気光学装置のうち第１実施形態と同様の要素については共通の符号を付してその説明を省略する。
【００３３】
図６は、本実施形態に係る電気光学装置Ｄ2のうちデータ線１３の駆動に関わる部分の構成を示す図である。なお、走査線駆動回路２０や画素Ｐは第１実施形態と同様の構成である。同図に示されるように、この電気光学装置Ｄ2は、電圧出力回路４２と制御回路３２とサンプリング回路１７とを有する。このうち電圧出力回路４２は、外部の機器からシリアルに供給される階調データＤをアナログの信号に変換して出力するＤ／Ａ変換器と、このＤ／Ａ変換器から出力された信号を複数の系統（本実施形態においては６系統とする）に展開するとともに各系統の信号を時間軸方向に６倍に伸長（シリアル−パラレル変換）したうえで階調信号ｄ1ないしｄ6として出力するＳ／Ｐ変換回路とを有する。Ｓ／Ｐ変換回路から出力された階調信号ｄ1ないしｄ6は、第１実施形態と同様に適宜に極性反転や増幅が施されたうえで各画像信号線５３に出力される。また、詳細については後述するが、電圧出力回路４２は、第１実施形態と同様に、各選択期間のうち最後のデータ出力期間Ｔdが経過した後の電圧補償期間Ｔhにおいて、総ての階調信号ｄ1ないしｄ6の電圧を補償電圧Ｖhに変動させる。
【００３４】
図６に示されるように、本実施形態の電気光学装置Ｄ2は６ｎ本のデータ線１３を有する。これらのデータ線１３は、互いに隣接する６本を単位としてｎ個のブロックＢ1ないしＢnに区分される。サンプリング回路１７は、各々が異なるデータ線１３に対応する６ｎ個のスイッチング素子１７１を有する。これらのスイッチング素子１７１は、各画像信号線５３に供給される階調信号ｄ1ないしｄ6の各々をデータ線１３にサンプリングするためのスイッチであり、例えば、画素Ｐのスイッチング素子７１と同様の材料によって共通の工程にて素子基板の面上に形成されたＴＦＴ素子である。各スイッチング素子１７１のドレイン電極はこれに対応するデータ線１３に接続される。一方、ブロックＢ1ないしＢnの各々に属する６個のスイッチング素子１７１のソース電極は６本の画像信号線５３にそれぞれ接続される。すなわち、ブロックＢ1ないしＢnの各々のうち、第１列目に位置する各スイッチング素子１７１のソース電極は階調信号ｄ1が供給される画像信号線５３に対して共通に接続され、第２列目に位置する各スイッチング素子１７１のソース電極は階調信号ｄ2が供給される画像信号線５３に共通に接続されるといった具合である。本実施形態においては、各スイッチング素子１７１を介して共通の画像信号線５３に接続された合計ｎ本のデータ線１３が第１実施形態にいう「グループ」として把握される。すなわち、第１実施形態においては、互いに隣接する複数本のデータ線１３がひとつのグループＧjとして区分される構成を例示したが、本実施形態においては、ブロックＢ1ないしＢnに属する同列目のデータ線１３がひとつのグループとして区分される。このように、本発明における「グループ」とは、共通の画像信号線５３に接続されたデータ線１３の集合を意味する。
【００３５】
一方、制御回路３２は、ブロックＢ1ないしＢnの総数に相当するｎビットのシフトレジスタであり、サンプリング信号Ｓ1ないしＳnをそれぞれサンプリング信号線５１に出力する。サンプリング信号Ｓ1ないしＳnは、図７に示されるように、走査信号Ｙiがアクティブレベルとなって第ｉ行目の走査線１２が選択される選択期間内の各データ出力期間Ｔd（Ｔd1、Ｔd2、……、Ｔdn）において順番にアクティブレベルとなる信号である。ひとつのブロックＢjのデータ線１３に接続された６個のスイッチング素子１７１のゲート電極は、図６に示されるように、制御回路３２のうちサンプリング信号Ｓjが出力される端子に対して共通に接続される。したがって、選択期間のうち第ｊ番目のデータ出力期間Ｔdjにおいてサンプリング信号Ｓjがアクティブレベルに遷移すると、ブロックＢjに属する６個のスイッチング素子１７１が一斉にオン状態となり、このときに画像信号線５３に供給されている階調信号ｄ1ないしｄ6が当該ブロックＢjの６本のデータ線１３にそれぞれデータ信号Ｘj（Ｘａj、Ｘｂj、……、Ｘｆj）としてサンプリングされる。
【００３６】
次に、本実施形態の動作を説明する。なお、ここでは、ブロックＢnに属する第１列目の各画素Ｐに黒色を表示させ、他の総ての画素Ｐに同じ中間調（灰色の階調）を表示させる場合を想定する（図８参照）。図７は、この場合の各信号の波形を示すタイミングチャートである。同図に示されるように、電圧出力回路４２から出力される階調信号ｄ1は、サンプリング信号Ｓnがアクティブレベルとなるデータ出力期間Ｔdnの始点の直前まで、中間調に相当する電圧Ｖgを維持する。この電圧Ｖgは、サンプリング信号Ｓ1ないしＳn-1に応じてオン状態となったスイッチング素子１７１によって、ブロックＢ1ないしＢn-1の各々に属する第１列目のデータ線１３にデータ信号Ｘａ1ないしＸａn-1としてサンプリングされる。
【００３７】
一方、データ出力期間Ｔdnの始点の直前において、階調信号ｄ1の電圧は黒色に相当する電圧Ｖbとなる。ここで、第１実施形態にて説明したように、各画像信号線５３と各データ線１３とはスイッチング素子１７１を介して容量的に結合しているから、各ブロックＢjに属する第１列目のデータ線１３の電位は、階調信号ｄ1の変化に伴なってΔＶだけ上昇する。例えば、図７に示されるように、ブロックＢ1に属する第１列目のデータ線１３の電圧（データ信号Ｘａ1の電圧）は、データ出力期間Ｔd1の始点から電圧Ｖgを維持する一方、階調信号ｄ1が電圧Ｖgから電圧Ｖbに変動するタイミングにてΔＶだけ上昇する。このとき第ｉ行目のスイッチング素子７１はオン状態となっているから、これに接続された画素容量７３の電圧はデータ線１３の電圧の変化分ΔＶに応じて変動する。一方、電圧出力回路４２は、データ出力期間Ｔdnの経過後であって選択期間の終点よりも前のタイミングにおいて、階調信号ｄ1を電圧Ｖbから補償電圧Ｖhに変化させる。この変化に伴なって、図７に示されるように、各ブロックＢ1ないしＢn-1の第１列目のデータ線１３の電圧はそれまでの電圧（Ｖg＋ΔＶ）からΔＶhだけ下降する。さらに、階調信号ｄ1の電圧は、選択期間が経過するまでの電圧補償期間Ｔhにわたって補償電圧Ｖhに維持される。
【００３８】
ここで、本実施形態との対比例として、図７に破線Ａで示されるように、選択期間（１Ｈ）における最後のデータ出力期間Ｔdnが経過した後も階調信号ｄ1の電圧がデータ出力期間Ｔdnにおける電圧Ｖbに維持される場合について検討する。この場合には、階調信号ｄ1が電圧Ｖgから電圧Ｖbに変化するタイミングにおいて各ブロックＢjの第１列目のデータ線１３の電圧がΔＶだけ上昇すると、その電圧（Ｖg＋ΔＶ）が維持されたまま選択期間の終点が到来して各スイッチング素子７１がオフ状態となるから、各画素Ｐの画素容量７３に保持された電圧は、本来の電圧ＶgよりもΔＶだけ高い電圧のままとなる。このため、図８に示されるように、ブロックＢ1ないしＢn-1の各々に属する第１列目の各画素Ｐは、本来の中間調（他の列の画素Ｐが表示する中間調）よりも黒色に近い階調となり、縦線状の表示ムラとして利用者に認識される。これに対し、本実施形態においては、各選択期間における最後のデータ出力期間Ｔdnの経過後に階調信号ｄ1の電圧が補償電圧Ｖhに変化するから、図７に示したように、各ブロックＢjの第１列目のデータ線１３の電圧を中間調に応じた電圧Ｖgに近づけることができる。したがって、図８に示される従来の場合と比較して、各ブロックＢjに属する第１列目の各画素Ｐの階調が本来の階調よりも暗くなって表示ムラになるという問題は抑制される。なお、ここでは階調信号ｄ1に特に着目して説明したが、他の階調信号ｄ2ないしｄ6も同様に、各選択期間の最後のデータ出力期間Ｔdnの経過後に補償電圧Ｖhとされる。したがって、選択期間において何れの階調信号が変動したとしても、この変動に起因した表示ムラは有効に抑制される。
【００３９】
＜Ｃ：変形例＞
各実施形態には種々の変形が加えられる。具体的な変形の態様を例示すれば以下の通りである。なお、以下の各態様を適宜に組み合わせてもよい。
【００４０】
（１）第１実施形態においては３本を単位としてデータ線１３をグループに区分し、第２実施形態においては６本を単位としてデータ線１３をブロックＢ1ないしＢnに区分したが、各グループや各ブロックに属するデータ線１３の本数がこれに限られないことはもちろんである。
【００４１】
（２）各実施形態の構成に加えて、電圧出力回路４１または４２の出力をハイインピーダンスとする構成を採用してもよい。図９は、第１実施形態に本変形例の構成を採用したときの動作を示すタイミングチャートである。同図においては電圧出力回路４１における階調信号ｄ1ないしｄnの出力端子がハイインピーダンス状態とされる期間Ｔfが斜線によって示されている。同図に示されるように、本変形例においては、プリチャージ期間Ｔpとデータ出力期間Ｔd1ないしＴd3との各々の間隙において（すなわち各データ出力期間Ｔdの直前のタイミングにおいて）、電圧出力回路４１のうち階調信号ｄ1ないしｄnの出力端子がハイインピーダンス状態とされる。さらに、電圧補償期間Ｔhの始点が到来して階調信号ｄ1の電圧が補償電圧Ｖhに変化してから次の選択期間のプリチャージ期間Ｔpが到来するまでの期間Ｔfにおいても電圧出力回路４１の出力端子がハイインピーダンス状態とされる。この構成によれば、プリチャージ期間Ｔpにおける電圧Ｖpと、各データ出力期間Ｔdにおける電圧（ＶgやＶb）と、電圧補償期間Ｔhにおける電圧Ｖhとが完全に分離して出力されるから、各期間において所期の電圧を精度よく出力することができる。なお、ここでは第１実施形態を変形した態様を説明したが、第２実施形態に対しても同様の変形が施される。
【００４２】
（３）各実施形態においては、各選択期間が経過するまで補償電圧Ｖhが維持される構成を例示したが、走査信号Ｙiの立ち下がりタイミングのズレが問題とならないのであれば、各選択期間の終点のタイミングまでに限って補償電圧Ｖhを維持する構成（すなわち、このタイミングにおいて階調信号ｄ1の電圧を補償電圧Ｖhからプリチャージ電圧Ｖpに変化させる構成）も採用される。
【００４３】
（４）各実施形態においては、各選択期間の始点の直後に各データ線１３をプリチャージ電圧Ｖpによって充放電させる構成を例示した。この構成によれば、各データ出力期間Ｔdにおいてデータ線１３の充放電に要する時間を短縮することができるから、画素Ｐを迅速に駆動することができるという利点がある。ただし、データ線１３の充放電に要する時間が問題とならないのであれば、各データ線１３にプリチャージ電圧Ｖpを印加する構成は省略される。また、各実施形態においては、階調信号ｄjをプリチャージ電圧Ｖpとして各データ線１３をプリチャージする構成を例示したが、データ線１３をプリチャージするための構成はこれに限られない。例えば、データ出力期間Ｔdに先立って、プリチャージ電圧Ｖpが印加されている配線に各データ線１３を導通させることによってデータ線１３を充放電する構成としてもよい。
【００４４】
（５）各実施形態においては電気光学物質として液晶を利用した電気光学装置Ｄ1およびＤ2を例示したが、液晶以外の電気光学物質を用いた装置にも本発明は適用される。例えば、有機ＥＬや発光ポリマーなどのＯＬＥＤ（Organic Light Emitting Diode）素子を電気光学物質として用いた表示装置や、着色された液体と当該液体に分散された白色の粒子とを含むマイクロカプセルを電気光学物質として用いた電気泳動表示装置、極性が相違する領域ごとに異なる色に塗り分けられたツイストボールを電気光学物質として用いたツイストボールディスプレイ、黒色トナーを電気光学物質として用いたトナーディスプレイ、あるいはヘリウムやネオンなどの高圧ガスを電気光学物質として用いたプラズマディスプレイパネルなど各種の電気光学装置に対しても各実施形態と同様に本発明が適用される。
【００４５】
＜Ｄ：電子機器＞
次に、本発明に係る電子機器の例として、各実施形態に係る電気光学装置Ｄ1またはＤ2をライトバルブとして利用した投射型表示装置（プロジェクタ）の構成を説明する。図１０は、この投射型表示装置の構成を示す平面図である。この図に示されるように、投射型表示装置２１００の内部には、ハロゲンランプ等の白色光源からなるランプユニット２１０２が設けられている。このランプユニット２１０２から射出された投射光は、内部に配置された３枚のミラー２１０６および２枚のダイクロイックミラー２１０８によってＲ（赤）、Ｇ（緑）、Ｂ（青）の３原色に分離されて、各原色に対応するライトバルブ１００Ｒ、１００Ｇおよび１００Ｂにそれぞれ導かれる。なお、Ｂ色の光は、他のＲ色やＧ色と比較すると、光路が長いので、その損失を防ぐために、入射レンズ２１２２、リレーレンズ２１２３および出射レンズ２１２４からなるリレーレンズ系２１２１を介して導かれる。
【００４６】
ここで、ライトバルブ１００Ｒ、１００Ｇおよび１００Ｂの構成は、各実施形態における電気光学装置Ｄ1またはＤ2と同様であり、処理回路（図示省略）から供給されるＲ、Ｇ、Ｂの各色に対応する階調データＤによってそれぞれ駆動されるものである。ライトバルブ１００Ｒ、１００Ｇ、１００Ｂによってそれぞれ変調された光は、ダイクロイックプリズム２１１２に３方向から入射する。そして、このダイクロイックプリズム２１１２において、Ｒ色およびＢ色の光は９０度に屈折する一方、Ｇ色の光は直進する。したがって、各色の画像が合成された後、スクリーン２１２０には、投射レンズ２１１４によってカラー画像が投射されることとなる。
【００４７】
なお、ライトバルブ１００Ｒ、１００Ｇおよび１００Ｂには、ダイクロイックミラー２１０８によって、Ｒ、Ｇ、Ｂの各原色に対応する光が入射するので、カラーフィルタを設ける必要はない。また、ライトバルブ１００Ｒ、１００Ｂの透過像は、ダイクロイックプリズム２１１２により反射した後に投射されるのに対し、ライトバルブ１００Ｇの透過像はそのまま投射されるので、ライトバルブ１００Ｒ、１００Ｂによる水平走査方向は、ライトバルブ１００Ｇによる水平走査方向と逆向きにして、左右反転像を表示させる構成となっている。
【００４８】
また、本発明に係る電気光学装置が利用され得る電子機器としては、図１０に示した投射型表示装置のほかにも、携帯電話機、可搬型のパーソナルコンピュータ、デジタルビデオカメラ、液晶テレビ、ビューファインダ型（またはモニタ直視型）のビデオレコーダ、カーナビゲーション装置、ページャ、電子手帳、電卓、ワードプロセッサ、ワークステーション、テレビ電話、ＰＯＳ端末、タッチパネルを備えた機器等などが挙げられる。
【図面の簡単な説明】
【００４９】
【図１】第１実施形態に係る電気光学装置の構成を示すブロック図である。
【図２】各画素の構成を示す回路図である。
【図３】電圧出力回路の構成を示すブロック図である。
【図４】第１実施形態に係る電気光学装置の動作を説明するためのタイミングチャートである。
【図５】電気光学装置による表示例を示す平面図である。
【図６】第２実施形態に係る電気光学装置の部分的な構成を示すブロック図である。
【図７】第２実施形態に係る電気光学装置の動作を説明するためのタイミングチャートである。
【図８】第２実施形態の効果を説明するための図である。
【図９】変形例に係る電気光学装置の動作を説明するためのタイミングチャートである。
【図１０】本発明に係る電子機器の一例たる投射型表示装置の構成を示す図である。
【図１１】従来の電気光学装置のうちデータ線を駆動する部分の構成を示す回路図である。
【図１２】従来の電気光学装置の動作を説明するためのタイミングチャートである。
【図１３】従来の電気光学装置において表示ムラが発生する様子を示す図である。
【符号の説明】
【００５０】
Ｄ1，Ｄ2……電気光学装置、Ｐ……画素、Ａd……表示領域、１０……電気光学パネル、２０……走査線駆動回路、３１，３２……制御回路、４１，４２……電圧出力回路、５１……サンプリング信号線、５３……画像信号線、１２……走査線、１３……データ線、１５，１７……サンプリング回路、１５１，１７１……スイッチング素子。
【図１】
2006154745.tif 000003
【図２】
2006154745.tif 000004
【図３】
2006154745.tif 000005
【図４】
2006154745.tif 000006
【図５】
2006154745.tif 000007
【図６】
2006154745.tif 000008
【図７】
2006154745.tif 000009
【図８】
2006154745.tif 000010
【図９】
2006154745.tif 000011
【図１０】
2006154745.tif 000012
【図１１】
2006154745.tif 000013
【図１２】
2006154745.tif 000014
【図１３】
2006154745.tif 000015